(57)【特許請求の範囲】
【請求項１】
共鳴胴を備えていないギターであって、
細長い胴体部と、前記胴体部の一方の端部に設けられたネック部と、前記ネック部の先端に設けられた、弦を巻くためのペグを有するヘッド部と、前記胴体部の他方の端部に設けられた、前記弦の端部を固定するブリッジ部とを有し、前記ペグと前記ブリッジ部との間に前記弦が張設されたギター本体と、
演奏者の耳に近接するように配置される少なくとも一つの耳当て部と、上端部には前記耳当て部が取り付けられると共に前記上端部が演奏者の顔の近傍に位置するように前記胴体部の裏面に取り付けられた本体部とを有し、前記胴体部から前記本体部に伝えられた前記弦の振動を前記本体部の前記上端部から前記耳当て部に伝達する振動伝達部と、
を具備することを特徴とするギター。
【請求項２】
前記振動伝達部は前記耳当て部を二つ有しており、二つの前記耳当て部はそれぞれ前記本体部の前記上端部の左側、右側に取り付けられていることを特徴とする請求項１記載のギター。
【請求項３】
前記胴体部、前記耳当て部及び前記本体部は木材で作製されていることを特徴とする請求項１又は２記載のギター。
【請求項４】
前記胴体部に設けられる、前記ギター本体を演奏者の脚で支持するための脚用支持部と、前記胴体部に設けられる、前記ギター本体を演奏者の腕で支持するための腕用支持部と、演奏者の胸と対向する前記本体部の所定位置に設けられる、前記本体部を介して前記ギター本体を演奏者の胸で支持するための胸用支持部とのうち少なくとも一つの支持部を具備することを特徴とする請求項１、２又は３記載のギター。
【請求項５】
前記本体部は、前記本体部が前記胴体部の裏面に取り付けられている取付位置から前記上端部までの長さ、及び、前記取付位置から前記上端部に向かう方向と前記ネック部の長手方向とのなす角度が調整可能であるように構成されていることを特徴とする請求項１、２、３又は４記載のギター。
【請求項６】
前記耳当て部は、演奏者の前後方向における傾き角度、及び／又は、演奏者の左右方向における傾き角度が調整可能であるように構成されていることを特徴とする請求項１、２、３、４又は５記載のギター。
【発明の詳細な説明】
【技術分野】
【０００１】
本発明は、大きな音を周囲に出さないように共鳴胴が設けられていないギターに関するものである。
【背景技術】
【０００２】
近年、いわゆるサイレントギターを呼ばれる各種のギターが市販されている（例えば、特許文献１、２参照）。このサイレントギターには、通常のアコースティックギターが有する共鳴胴が設けられていない。このため、演奏者がこのギターを弾いても、ギターからはごくわずかな音しか発生しない。また、従来のサイレントギターの中には、弦の振動を直接電気信号に変換するピックアップ装置と、そのピックアップ装置から出力される電気信号を増幅する増幅回路と、その増幅回路から出力される電気信号を外部に取り出すヘッドホン端子とが備えられているものがある。演奏者は、ヘッドホン端子にヘッドホンを繋ぎ、そのヘッドホンからの音を聞くことにより、夜間に練習するときや周囲に家族がいるときでも、なんら気兼ねすることなく、ギターの演奏を楽しむことができる。
【先行技術文献】
【特許文献】
【０００３】
【特許文献１】特開２００４−１７７８１８号公報
【特許文献２】特開平１１−３０５７６２号公報
【発明の概要】
【発明が解決しようとする課題】
【０００４】
しかしながら、演奏者がヘッドホンを介して聞く音は、電気的に処理された音であり、弦の弾き方の巧拙にかかわらず、誰が弾いても同じような音になる。すなわち、従来のサイレントギターでは、演奏者は弦の振動による音を忠実に再現した音を聞くことができない。一方、演奏者は、ヘッドホンを使わずに、弦の振動による音を直接聞くことにすると、サイレントギターには共鳴胴が設けられていないため、音が小さく、物足りなく感じてしまう。そこで、周囲にいる人に気兼ねすることなく、しかも演奏者が弦の振動に忠実な大きな音を聞くことができるサイレントギターの実現が望まれている。
【０００５】
本発明は上記事情に基づいてなされたものであり、周囲に大きな音を出すことなく、演奏者だけが、弦の振動に忠実な大きな音を聞くことができるギターを提供することを目的とするものである。
【課題を解決するための手段】
【０００６】
上記の目的を達成するための本発明は、共鳴胴を備えていないギターであって、
細長い胴体部と、胴体部の一方の端部に設けられたネック部と、ネック部の先端に設けられた、弦を巻くためのペグを有するヘッド部と、胴体部の他方の端部に設けられた、弦の端部を固定するブリッジ部とを有し、ペグとブリッジ部との間に弦が張設されたギター本体と、
演奏者の耳に近接するように配置される少なくとも一つの耳当て部と、上端部には耳当て部が取り付けられると共に上端部が演奏者の顔の近傍に位置するように胴体部の裏面に取り付けられた本体部とを有し、胴体部から本体部に伝えられた弦の振動を本体部の上端部から耳当て部に伝達する振動伝達部と、
を具備することを特徴とするものである。
【０００７】
本発明に係るギターは、共鳴胴を備えていないが、少なくとも一つの耳当て部と、上端部に耳当て部が取り付けられると共に上端部が演奏者の顔の近傍に位置するように胴体部の裏面に取り付けられた本体部とを有する振動伝達部を備えていることにより、演奏者が耳に耳当て部を近接させた状態でギターを弾くと、弦の振動がブリッジ部を介して胴体部を振動させ、その振動が胴体部に固定されている本体部を介して耳当て部にまで伝達される。この耳当て部の振動が空気を振動させて音となり、演奏者は耳元でギターの音を聞くことができる。このように、本発明では、電子ギター等のようにピックアップを用いて弦の振動を電気信号に変換しているのではなく、弦の振動を直接、胴体部及び振動伝達部を介して演奏者の耳元まで伝えているので、演奏者は、ヘッドホンで聞く音とは異なり、低音から高音まで弦の振動に忠実な大きな音を聞くことができる。また、ギター本体は共鳴胴を有しておらず、ギター本体から直接外部に出る生音は非常に小さいので、演奏者は、その周囲にいる人に迷惑をかけることなく、いつでもどこででもギターを弾くことができる。
【０００８】
また、本発明に係るギターでは、振動伝達部は耳当て部を二つ有しており、二つの耳当て部はそれぞれ本体部の上端部の左側、右側に取り付けられていることが望ましい。これにより、演奏者は二つの耳当て部の間に頭を入れ、両耳に耳当て部を近接させることができる。このため、演奏者は、両方の耳で耳当て部からの音を聞くことができるので、一方の耳だけに耳当て部を近接させる場合に比べて音の広がりを感じることができる。
【０００９】
また、本発明に係るギターでは、胴体部、耳当て部及び本体部は木材で作製されていることが望ましい。このように、胴体部、耳当て部及び本体部の材質として、金属等に比べて軽量な木材を用いることにより、弦の振動が胴体部及び振動伝達部で大きく減衰してしまうのを防止し、弦の振動を耳当て部に確実に伝達することができる。
【００１０】
また、本発明に係るギターは、胴体部に設けられる、ギター本体を演奏者の脚で支持するための脚用支持部と、胴体部に設けられる、ギター本体を演奏者の腕で支持するための腕用支持部と、演奏者の胸と対向する本体部の所定位置に設けられる、本体部を介してギター本体を演奏者の胸で支持するための胸用支持部とのうち少なくとも一つの支持部を具備することが望ましい。このように、本発明のギターが、脚用支持部と、腕用支持部と、胸用支持部とのうち少なくとも一つの支持部を備えることにより、演奏者は、その支持部を使ってギターを身体に固定することができるので、ギターを安定させた状態で弾くことができる。
【００１１】
また、本発明に係るギターは、本体部は、本体部が胴体部の裏面に取り付けられている取付位置から上端部までの長さ、及び、取付位置から上端部に向かう方向とネック部の長手方向とのなす角度が調整可能であるように構成されていることが望ましい。これにより、演奏者は、本体部の長さ及び角度を調整して、耳当て部の位置を自分の耳の位置に容易に合わせることができる。
【００１２】
更に、本発明に係るギターでは、耳当て部は、演奏者の前後方向における傾き角度、及び／又は、演奏者の左右方向における傾き角度が調整可能であるように構成されていることが望ましい。これにより、演奏者は、耳当て部の角度を調整して、演奏時に自分の耳に耳当て部を確実に近接させることができる。
【発明の効果】
【００１３】
本発明に係るギターでは、弦の振動を直接、胴体部及び振動伝達部を介して演奏者の耳元まで伝えているので、演奏者は、ヘッドホンで聞く音とは異なり、低音から高音まで弦の振動に忠実な大きな音を聞くことができる。また、ギター本体は共鳴胴を有しておらず、ギター本体から直接外部に出る生音は非常に小さいので、演奏者は、その周囲にいる人に迷惑をかけることなく、いつでもどこででもギターを弾くことができる。
【図面の簡単な説明】
【００１４】
【図１】図１は本発明の一実施形態であるギターの概略斜視図である。
【図２】図２はそのギターの概略背面図である。
【図３】図３は本実施形態のギターにおけるギター本体、脚用支持部及び腕用支持部の概略正面図である。
【図４】図４はそのギター本体、脚用支持部及び腕用支持部の概略側面図である。
【図５】図５はそのギター本体、脚用支持部及び腕用支持部の概略背面図である。
【図６】図６は本実施形態のギターにおける振動伝達部及び胸用支持部の概略斜視図である。
【図７】図７はその振動伝達部及び胸用支持部の概略正面図である。
【図８】図８はその振動伝達部及び胸用支持部の概略側面図である。
【図９】図９はその振動伝達部及び胸用支持部の概略背面図である。
【図１０】図１０は演奏者が本実施形態のギターを演奏しているときの様子を示す図である。
【図１１】図１１は本発明の変形例であるギターの概略斜視図である。
【発明を実施するための形態】
【００１５】
以下に、図面を参照して、本願に係る発明を実施するための形態について説明する。図１は本発明の一実施形態であるギターの概略斜視図、図２はそのギターの概略背面図である。
【００１６】
本実施形態のギターは、図１及び図２に示すように、ギター本体１０と、振動伝達部２０と、脚用支持部３０と、腕用支持部４０と、胸用支持部５０とを備える。このギターには、通常のアコースティックギターが有する共鳴胴が設けられていない。振動伝達部２０はギター本体１０の裏側に取り付けられている。また、脚用支持部３０及び腕用支持部４０はそれぞれギター本体１０の左側（本実施形態では左側面）、右側（本実施形態では右側面）に取り付けられ、胸用支持部５０は振動伝達部２０の裏面に取り付けられている。
【００１７】
図３は本実施形態のギターにおけるギター本体１０、脚用支持部３０及び腕用支持部４０の概略正面図、図４はそのギター本体１０、脚用支持部３０及び腕用支持部４０の概略側面図、図５はそのギター本体１０、脚用支持部３０及び腕用支持部４０の概略背面図である。また、図６は本実施形態のギターにおける振動伝達部２０及び胸用支持部５０の概略斜視図、図７はその振動伝達部２０及び胸用支持部５０の概略正面図、図８はその振動伝達部２０及び胸用支持部５０の概略側面図、図９はその振動伝達部２０及び胸用支持部５０の概略背面図である。
【００１８】
ギター本体１０は、図１乃至図５に示すように、細長い胴体部１１と、ネック部１２と、ヘッド部１３と、ブリッジ部１４とを備える。ネック部１２は胴体部１１の一方の端部に設けられている。ネック部１２の表面には指板１２ａが接合されている。そのネック部１２の先端にはヘッド部１３が設けられている。このヘッド部１３は、複数の弦を巻くための複数のペグ１３１を有している。また、ブリッジ部１４は複数の弦の端部を固定するものであり、胴体部１１の他方の端部の表面に設けられている。複数の弦は、複数のペグ１３１とブリッジ部１４との間に張設されている。これらネック部１２、ヘッド部１３及びブリッジ部１４としては通常のギターにおけるものと同じものを用いることができる。
【００１９】
胴体部１１は、木材で細長い略四角柱の形状に作製されている。この胴体部１１の上端における横幅はネック部１２の横幅と略同じである。具体的に、図３及び図４に示すように、胴体部１１の長手方向の長さＨ１は約４０ｃｍ、その奥行きＤ１は約４ｃｍである。胴体部１１の下端における横幅Ｗ１は約７．５ｃｍである。また、胴体部１１の裏面には、図５に示すように、振動伝達部２０をネジで固定するための金属製の雌ネジ（ナット）１１１が、その一方の端部表面が露出するようにして埋設されている。この雌ネジ１１１の内径は約６ｍｍである。
【００２０】
図３に示すように、胴体部１１の右側面には脚用支持部３０が取り付けられ、胴体部１１の左側面には腕用支持部４０が取り付けられている。これらの支持部３０，４０を胴体部１１に取り付けるには、例えば接着剤やネジを使用することができる。本実施形態では、脚用支持部３０と腕用支持部４０を接着剤で胴体部１１に接合している。また、脚用支持部３０は、図３及び図５に示すように、二つの部品３１，３２からなり、部品３２は部品３１の裏面にネジで固定されている。脚用支持部３０はギター本体１０を演奏者の脚で支持するためのものであり、腕用支持部４０はギター本体１０を演奏者の腕（又は肘）で支持するためのものである。具体的に、胴体部１１に取り付けられた脚用支持部３０及び腕用支持部４０は、例えば通常のエレキギターにおけるボディーの外形の一部と略同じような形状をしている。右利きの演奏者は、ギターを演奏するときに、脚用支持部３０を自分の太ももに載せると共に、自分の右腕を腕用支持部４０に載せるようにする（後述の図１０参照）。これにより、演奏者はギターを安定させた状態で保持して弾くことができる。尚、脚用支持部３０及び腕用支持部４０は胴体部１１に着脱自在に取り付けるようにしてもよい。これにより、本実施形態のギターを持ち運ぶ際に、ギターを分解してケースに収納することができる。
【００２１】
振動伝達部２０は、図１、図２、図６乃至図９に示すように、二つの耳当て部２１，２１と、本体部２２と、顎載置台２３とを備える。これら耳当て部２１，２１、本体部２２及び顎載置台２３は木材で作製されている。耳当て部２１は演奏者が演奏時に耳を当てるためのものである。このため、耳当て部２１，２１は、演奏者の耳に近接する位置に配置される。二つの耳当て部２１，２１はそれぞれ本体部２２の上端部の左側面、右側面に取り付けられている。本体部２２は、図２に示すように、胴体部１１の裏面に着脱自在に取り付けられている。具体的に、本体部２２はその上端部が演奏者の顔の近傍に位置するように取り付けられる。振動伝達部２０は、胴体部１１から本体部２２に伝えられた弦の振動を本体部２２の上端部から耳当て部２１，２１に伝達する役割を果たす。
【００２２】
本体部２２は、図６乃至図９に示すように、平板状のものであり、本体部２２の上端部である頭部２２１と、脚部２２２と、二つの角度調整板２２３，２２３と、押圧板２２４とを有する。この本体部２２の厚さＤ２は約２ｃｍである。頭部２２１は略長方形状に形成されている。具体的に、この頭部２２１の横幅Ｗ２１は約１２ｃｍ、その縦幅Ｈ２１は約８ｃｍである。また、脚部２２２は頭部２２１の下端に連なっている。実際、この脚部２２２は、頭部２２１に連なる部分の近傍を除いて、細長い略長方形状に形成されている。具体的に、脚部２２２の縦方向の長さＨ２２は約３１ｃｍであり、脚部２２２の下端における横幅Ｗ２２は約４．５ｃｍである。この脚部２２２の中央部には、その長手方向に沿って長孔２２２ａが形成されている。ここで、その長孔２２２ａの幅は約１ｃｍ、長さは約２３ｃｍである。
【００２３】
図９に示すように、二つの角度調整板２２３，２２３はそれぞれ、頭部２２１の裏面の左端部、右端部にネジ２２６で回動可能に固定されている。ここで、各角度調整板２２３，２２３は、図７に示すように、その側端部が頭部２２１の側面よりも外側に突出するように配置されている。各角度調整板２２３，２２３のその突出した側面には耳当て部２１，２１が取り付けられる。また、押圧板２２４は、二つの角度調整板２２３，２２３を頭部２２１の裏面に押し付けるようにして固定するものである。図９に示すように、押圧板２２４は、二つの角度調整板２２３，２２３と接していない部分においてネジで頭部２２１の裏面に固定されている。演奏者は、各角度調整板２２３，２２３に力を加えてネジ２２６を中心にして当該角度調整板を回転させることにより、当該角度調整板に取り付けられた耳当て部２１についてその左右方向の傾き角度を調整することができる。本実施形態では、二つの耳当て部２１，２１が互いに平行な状態にあるときの耳当て部２１，２１の間隔Ｄは約１６ｃｍである。演奏者は、左右方向における各耳当て部２１，２１の傾き角度を調整して、演奏時に二つの耳当て部２１，２１の間に顔を入れることになる。
【００２４】
具体的に、本実施形態では、本体部２２を、一つの雄ネジ２４を用いて胴体部１１に固定することにしている。ここで、雄ネジ２４としては金属製のもの（ボルト）を用いている。また、雄ネジ２４は、その頭部が回転しないように頭部用木片２４ａに埋め込まれて固定されている。この雄ネジ２４の軸の外径は、脚部２２２に形成された長孔２２２ａの幅よりも小さい約６ｍｍである。この雄ネジ２４に対応する雌ネジが胴体部１１の裏面に埋設された雌ネジ１１１である。本体部２２を胴体部１１に固定するには、まず、図６乃至図９に示すように、雄ネジ２４の軸を所定の当て板２５に形成された孔に通す。この当て板２５はワッシャーと同様の役割を果たすものである。ここで、当て板２５は略長方形状に形成されており、その長辺の長さは長孔２２２ａの幅よりも長くなっている。その後、頭部用木片２４ａを用いて、当て板２５に通された雄ネジ２４を、長孔２２２ａを介して胴体部１１の裏面に埋設された雌ネジ１１１にねじ込んで締め付ける。これにより、図２に示すように、本体部２２は当て板２５によって胴体部１１に押し付けられてしっかり固定される。尚、本体部２２の取付位置とは、本体部２２が胴体部１１の裏面に取り付けられている位置、すなわち、雌ネジ１１１に対応する長孔２２２ａの位置のことである。
【００２５】
また、雄ネジ２４を少し緩めて、雌ネジ１１１に対応する長孔２２２ａの位置を変更することにより、本体部２２の取付位置から頭部（上端部）２２１までの長さを容易に調整することができる。しかも、このとき、胴体部１１に対する本体部２２の傾き角度を変更することにより、本体部２２の取付位置から頭部２２１に向かう方向とネック部１２の長手方向とのなす角度を容易に調整することができる。このように、本実施形態では、本体部２２は、取付位置から頭部２２１までの長さ、及び、取付位置から頭部２２１に向かう方向とネック部１２の長手方向とのなす角度が調整可能であるように構成されている。更に、雄ネジ２４を一つ外すだけで、本体部２２を胴体部１１から簡単に取り外すことができる。
【００２６】
また、本体部２２の上端には、演奏者が演奏時に顎を載せるための顎載置台（顎載置部）２３が設けられている。この顎載置台２３は平板状のものであり、木材で略長方形状に形成されている。具体的に、顎載置台２３の横幅は本体部２２の頭部２２１の横幅Ｗ２１と同じ約１２ｃｍであり、その縦幅は約５．５ｃｍであり、その厚さは約１．８ｃｍである。顎載置台２３は、図６乃至図９に示すように、それを水平に寝かせた状態で演奏者の側に突出するように配置されている。顎載置台２３はネジで本体部２２の上端に固定されている。
【００２７】
また、演奏者の胸と対向する本体部２２の頭部２２１の所定位置には、胸用支持部５０が設けられている。胸用支持部５０はギター本体１０を演奏者の胸で支持するためのものである。演奏者がギターを弾くときに、この胸用支持部５０を胸に当てると、ギターが安定する。この胸用支持部５０としては、平板状の木材を用い、略長方形状に形成されたものを用いている。具体的に、図８及び図９に示すように、胸用支持部５０の横幅Ｗ３は約１８ｃｍ、その縦幅Ｈ３は約５ｃｍ、厚さは約１．８ｃｍである。胸用支持部５０は、図８に示すように、顎載置台２３よりも演奏者の側に突出している。胸用支持部５０を本体部２１に取り付けるには、例えばネジや接着剤等を使用することができる。
【００２８】
このように、本実施形態では、脚用支持部３０、腕用支持部４０及び胸用支持部５０という合計三つの支持部を設けているので、演奏者は、共鳴胴を有する通常のアコースティックギターを弾くときと同様のホールド感覚で、本実施形態のギターを保持して弾くことができる。
【００２９】
耳当て部２１は、図６乃至図９に示すように、平板状のものであり、頭部２１１と、その頭部２１１の下端に連なる脚部２１２とを有する。図７に示すように、この耳当て部２１の厚さＤ４は約１．８ｃｍである。頭部２１１は、少なくとも耳の大きさよりも大きな略長方形の形状に形成されている。具体的に、図７及び図８に示すように、頭部２１１の横幅Ｗ４１は約９ｃｍ、その縦幅Ｈ４１は約１２ｃｍである。また、脚部２１２は細長い略長方形状に形成されている。具体的に、図７及び図８に示すように、脚部２１２の横幅Ｗ４２は約２ｃｍ、その縦方向の長さＨ４２は約１２ｃｍである。脚部２１２の下端部は本体部２２の角度調整板２２３の側面にネジ２１３で、図７の前後方向（図８の左右方向）において回動可能に固定されている。ここで、二つの耳当て部２１，２１は、二つの頭部２１１，２１１の表面が互いに対向するように配置されている。演奏者は、各耳当て部２１，２１に力を加えてネジ２１３を中心にして当該耳当て部を回転させるだけで、演奏者の前後方向における耳当て部の傾き角度を簡単に調整することができる。これにより、演奏者は、耳当て部２１，２１の角度を調整して、演奏時に自分の耳に耳当て部２１，２１を確実に近接させることができる。
【００３０】
本実施形態のギターでは、このような構成の振動伝達部２０を備えることにより、胴体部１１から本体部２２に伝えられた弦の振動を本体部２２の頭部（上端部）２２１から耳当て部２１，２１に伝達することができる。しかし、音の振動が物体内を伝わる際には、その物体は質量が重いほど振動の伝達に大きな抵抗を与えることになる。このため、振動伝達部２０については、なるべく軽量化を図ることが望ましい。耳当て部２１や本体部２２として、その全体を長方形状に形成したものを用いるのではなく、脚部を細長い長方形状に形成して脚部の横幅をなるべく小さくしたものを用いているのはこの理由からである。また、本実施形態では、胴体部１１、耳当て部２１，２１及び本体部２２の材質として金属等に比べて軽量な木材を用いているが、これも、同様に、弦の振動が胴体部１１及び振動伝達部２０で大きく減衰してしまうのを防止し、弦の振動を耳当て部２１，２１に確実に伝達するためである。
【００３１】
次に、本実施形態のギターの使い方を説明する。
最初に、演奏者は、振動伝達部２０が演奏時の自分の姿勢に合うように、本体部２２の取付位置から頭部２２１までの長さと本体部２２の角度とについての調整を行う。具体的に、演奏者は、雄ネジ２４を少し緩めて、本体部２２の頭部２２１が自分の顔の近傍に位置し、顎載置台２３が自分の顎と略同じ高さに位置するように、本体部２２の取付位置から頭部２２１までの長さ、及び、本体部２２の取付位置から頭部２２１に向かう方向とネック部１２の長手方向とのなす角度を調整する。こうして、本体部２２の取付位置から頭部２２１までの長さと本体部２２の角度とが決まると、演奏者は雄ネジ２４を締めて、振動伝達部２０をギター本体１０に固定する。
【００３２】
次に、演奏者は、二つの耳当て部２１，２１の間隔が自分の耳の間隔になるように、ネジ２２６，２２６を中心にして角度調整板２２３，２２３を回転することにより、図９の左右方向における各耳当て部２１，２１の傾き角度を調整する。また、二つの耳当て部２１，２１が演奏時の自分の耳の位置に来るように、ネジ２１３，２１３を中心にして耳当て部２１，２１を回転することにより、図９の前後方向における各耳当て部２１，２１の傾き角度を調整する。
【００３３】
こうして振動伝達部２０の調整作業が終了すると、演奏者は本実施形態のギターを演奏することができる。図１０は演奏者が本実施形態のギターを演奏しているときの様子を示す図である。演奏者は、図１０に示すように、自分の頭を二つの耳当て部２１，２１の間に入れると共に、顎を顎載置台２３に載せる。このとき、各耳はそれに対応する耳当て部２１に軽く接するようになる。演奏者はこの状態でギターを演奏する。
【００３４】
演奏者が両耳に耳当て部２１，２１を近接させた状態でギターを弾くと、弦の振動がブリッジ部１４を介して胴体部１１を振動させる。そして、その胴体部１１の振動が胴体部１１に固定されている本体部２２を介して耳当て部２１，２１にまで伝達される。この耳当て部の振動が空気を振動させて音となり、演奏者は耳元でギターの音を聞くことができる。ここで、本実施形態では、耳当て部２１，２１を二つ設けているので、演奏者は、両方の耳で耳当て部２１，２１からの音を聞くことができる。このように、弦の振動を直接、胴体部１１及び振動伝達部２０を介して演奏者の耳元に伝えているので、演奏者は、ヘッドホンで聞く音とは異なり、低音から高音まで弦の振動に忠実な大きな音を聞くことができる。また、本実施形態のギターでは、振動伝達部２０を木材で作製していることにより、演奏者は、既存の木製のアコースティックギターの音色に近い音を聞くことになる。実際、演奏者が聞く音は、通常のアコースティックギターから発せられる生音に負けない音である。尚、本実施形態のギターは、共鳴胴を有していないので、ギター本体１０から直接外部に出る生音は非常に小さい。
【００３５】
また、演奏者が、両耳に耳当て部２１，２１を近接させた状態で、しかも顎を顎載置台２３に載せた状態でギターを弾くと、本体部２２から顎載置台２３に伝えられた弦の振動は、骨伝導によって顎の骨から頭蓋骨を介して演奏者の聴覚器官に伝えられる。このため、演奏者は、耳からの音と骨伝導による音とを合わせた音を聞くことができる。このように、本実施形態のギターでは、骨伝導による音も聞くことができるので、このギターを使えば聴覚障害者もギターの演奏を楽しむことができる。特に、本実施形態のギターを聴覚障害者専用のギターとして用いる場合には、例えば、顎載置台２３の代わりに口でくわえる部位を設けておくようにしてもよい。また、この場合、耳当て部２１を必ずしも設ける必要はない。
【００３６】
本実施形態のギターは、共鳴胴を備えていないが、二つの耳当て部と、上端部（頭部）に二つの耳当て部が取り付けられると共に上端部（頭部）が演奏者の顔の近傍に位置するように胴体部の裏面に取り付けられた本体部とを有する振動伝達部を備えていることにより、演奏者が耳に耳当て部を近接させた状態でギターを弾くと、弦の振動がブリッジ部を介して胴体部を振動させ、その振動が胴体部に固定されている本体部を介して耳当て部にまで伝達される。この耳当て部の振動が空気を振動させて音となり、演奏者は耳元でギターの音を聞くことができる。このように、本実施形態では、電子ギター等のようにピックアップを用いて弦の振動を電気信号に変換しているのではなく、弦の振動を直接、胴体部及び振動伝達部を介して演奏者の耳元まで伝えているので、演奏者は、ヘッドホンで聞く音とは異なり、低音から高音まで弦の振動に忠実な大きな音を聞くことができる。また、ギター本体は共鳴胴を有しておらず、ギター本体から直接外部に出る生音は非常に小さいので、演奏者は、その周囲にいる人に迷惑をかけることなく、いつでもどこででもギターを弾くことができる。
【００３７】
また、本実施形態のギターでは、本体部は、本体部が胴体部の裏面に取り付けられている取付位置から上端部までの長さ、及び、取付位置から上端部に向かう方向とネック部の長手方向とのなす角度が調整可能であるように構成されていることにより、演奏者は、本体部の長さ及び角度を調整して、耳当て部の位置を自分の耳の位置に容易に合わせることができる。更に、耳当て部は、演奏者の前後方向における傾き角度及び演奏者の左右方向における傾き角度が調整可能であるように構成されていることにより、演奏者は、耳当て部の角度を調整して、演奏時に自分の耳に耳当て部を確実に近接させることができる。
【００３８】
尚、本発明は上記の実施形態に限定されるものではなく、その要旨の範囲内において種々の変形が可能である。
【００３９】
例えば、上記の実施形態では、耳当て部を、演奏者の左右方向における傾き角度が調整可能であるように構成した場合について説明したが、必ずしも耳当て部をこのように構成する必要はない。具体的には、本体部の頭部としてその横幅が演奏者の顔の間隔に略一致するものを用い、二つの耳当て部を頭部の側面に取り付けるようにしてもよい。
【００４０】
また、上記の実施形態では、振動伝達部が二つの耳当て部を有する場合について説明したが、振動伝達部には耳当て部を一つだけ設けるようにしてもよい。この場合も、演奏者は、低音から高音まで弦の振動に忠実な大きな音を聞くことができる。但し、実際には、耳当て部を二つ設けることが望ましい。演奏者は、両方の耳で耳当て部からの音を聞くことができるので、一方の耳だけを耳当て部に当てる場合に比べて音の広がりを感じることができるからである。
【００４１】
また、上記の実施形態では、胴体部、耳当て部及び本体部を木材で作製した場合について説明したが、音の振動を大きく減衰させることなく確実に伝達することができる材質であれば、胴体部、耳当て部及び本体部をどのような材質で作製するようにしてもよい。例えば、胴体部、耳当て部及び本体部の材質としては、プラスチック等を用いることができる。
【００４２】
また、上記の実施形態では、本発明のギターが、脚用支持部と、腕用支持部と、胸用支持部とを備える場合について説明したが、一般に、本発明のギターは、これら三つの支持部のうち少なくとも一つの支持部を備えていればよい。少なくとも一つの支持部があれば、ギターを安定させた状態で弾くことができる。更に、これら三つの支持部は、音質や音の大きさと無関係であるので、省略することも可能である。
【００４３】
更に、上記の実施形態では、本発明のギターが一つの振動伝達部を備える場合について説明したが、本発明のギターは、二つ以上の振動伝達部を備えることができる。いま、本発明の変形例として二つの振動伝達部を備えるギターを説明する。図１１は本発明の変形例であるギターの概略斜視図である。
【００４４】
本発明の変形例のギターは、図１１に示すように、ギター本体１０と、二つの振動伝達部２０ａ，２０ｂと、脚用支持部３０と、腕用支持部４０と、胸用支持部５０，５０と、連結部材６０とを備える。ここで、二つの振動伝達部２０ａ，２０ｂはそれぞれ、上記実施形態のギターにおける振動伝達部材２０と同じものである。この変形例のギターが上記実施形態のギターと異なる点は、振動伝達部２０ａ，２０ｂを二つ備えている点、及び、二つの振動伝達部２０ａ，２０ｂを連結するための棹状の連結部材６０を備えている点である。その他の構成は上記実施形態のギターにおける構成と同様である。尚、本発明の変形例において、上記実施形態のものと同一の機能を有するものには、同一の符号を付すことにより、その詳細な説明を省略する。
【００４５】
連結部材６０は、細長い棹状のものであり、木材で作製されている。例えば、この連結部材の長さは約８０ｃｍである。この連結部材６０の右端部には、雄ネジ２４の軸よりも大きな一つの孔（不図示）が形成されている。また、連結部材６０の左端部には、雄ネジ２４に対応する雌ネジ６１が、その端部表面が露出するようにして埋設されている。
【００４６】
一方の振動伝達部２０ａについては、その本体部２２が連結部材６０を介して胴体部１１の裏面に取り付けられる。すなわち、雄ネジ２４を、この振動伝達部２０ａの長孔２２２ａ及び連結部材６０の孔を介して胴体部１１の裏面に埋設された雌ネジ１１１にねじ込んでいる。また、他方の振動伝達部２０ｂについては、その本体部２２を、一方の振動伝達部２０ａの取付箇所と異なる連結部材６０の所定箇所に取り付ける。すなわち、雄ネジ２４を、他の振動伝達部２０ｂの長孔２２２ａを介して連結部材６０の雌ネジ６１にねじ込んでいる。尚、連結部材６０には、複数の雌ネジを埋設するようにしてもよい。この場合、他方の振動伝達部２０ｂの取付箇所を変更することにより、二つの振動伝達部２０ａ，２０ｂの間隔を変えることができる。
【００４７】
このように、本発明の変形例のギターでは、一方の振動伝達部２０ａの本体部２２を連結部材６０を介して胴体部１１の裏面に取り付けると共に、他方の振動伝達部２０ｂの本体部２２を連結部材６０に取り付けていることにより、弦の振動を連結部材６０を介して二つの振動伝達部２０ａ，２０ｂに伝達することができる。このため、演奏者が自分の耳に一方の振動伝達部２０ａの耳当て部２１，２１を近接させた状態でギターを演奏する際に、演奏者以外の者が自分の耳に他方の振動伝達部２０ｂの耳当て部２１，２１を近接させた状態にすれば、演奏者以外の者は弦の振動に忠実な大きな音を聞くことができ、演奏者とともにギターの演奏を楽しむことができる。
【００４８】
また、上記の実施形態のギターでは、複数の弦が複数のペグとブリッジ部との間に張設されている場合について説明したが、弦は少なくとも一本張設されていればよい。
【産業上の利用可能性】
【００４９】
以上説明したように、本発明に係るギターでは、弦の振動を直接、胴体部及び振動伝達部を介して演奏者の耳元まで伝えているので、演奏者は、ヘッドホンで聞く音とは異なり、低音から高音まで弦の振動に忠実な大きな音を聞くことができる。また、ギター本体は共鳴胴を有しておらず、ギター本体から直接外部に出る生音は非常に小さい。したがって、本発明に係るギターを使用すると、夜間に練習するときや周囲に家族がいるときでも、なんら気兼ねすることなく、ギターの演奏を楽しむことができる。
【符号の説明】
【００５０】
１０  ギター本体
１１  胴体部
１１１  雌ネジ
１２  ネック部
１２ａ  指板
１３  ヘッド部
１３１  ペグ
１４  ブリッジ部
２０，２０ａ，２０ｂ  振動伝達部
２１  耳当て部
２１１  頭部
２１２  脚部
２１３  ネジ
２２  本体部
２２１  頭部
２２２  脚部
２２２ａ  長孔
２２３  角度調整板
２２４  押圧板
２２６  ネジ
２３  顎載置台（顎載置部）
２４  雄ネジ
２４ａ  頭部用木片
２５  当て板
３０  脚用支持部
３１，３２  部品
４０  腕用支持部
５０  胸用支持部
６０  連結部材
６１  雌ネジ
【図１】
0006590295.tif 000002
【図２】
0006590295.tif 000003
【図３】
0006590295.tif 000004
【図４】
0006590295.tif 000005
【図５】
0006590295.tif 000006
【図６】
0006590295.tif 000007
【図７】
0006590295.tif 000008
【図８】
0006590295.tif 000009
【図９】
0006590295.tif 000010
【図１０】
0006590295.tif 000011
【図１１】
0006590295.tif 000012